(57)【特許請求の範囲】
【請求項１】
第一エプロンと第二エプロンを備えた分割型の浴槽エプロンにおいて、洗い場側の浴室壁には浴槽エプロンに隣接してカウンタが設けられており、第一エプロンはカウンタと接する位置に設けられ、第二エプロンはカウンタと接しない位置に設けられ、第一エプロンは更に分割されて、少なくとも上部が浴槽に嵌合して固定される固定部と、カウンタ設置状態においても固定部から着脱可能な脱着部を備え、固定部は、本体部と、浴室壁と接する側部と、浴室床と接する下部と、を備え、略コの字状に形成されており、脱着部は本体部の下方に設けられて、本体部と脱着部の継ぎ目はカウンタ上面よりも下方に位置していることを特徴とする浴槽エプロン。
【請求項２】
請求項１に記載の浴槽エプロンにおいて、脱着部は第二エプロンを取り外したのち、第二エプロン側にスライドして着脱可能に構成されていることを特徴とする浴槽エプロン。
【請求項３】
請求項１または２に記載の浴槽エプロンにおいて、脱着部に開口が設けられており、該開口が設けられた箇所は、脱着部に接する側のカウンタの端面に内包される位置にあることを特徴とする浴槽エプロン。
【請求項４】
請求項１ないし３のいずれかに記載の浴槽エプロンにおいて、固定部の本体部の下端と脱着部の上端に、互いにスライド可能なガイド部が設けられていることを特徴とする浴槽エプロン。
【発明の詳細な説明】
【技術分野】
【０００１】
本発明は、浴槽エプロンに関するものである。
【背景技術】
【０００２】
従来、浴槽のエプロンは、浴槽の洗い場側の大部分に沿って設けられた大きなエプロン（大エプロン）と、浴槽の一端側であってカウンタに面する側に設けられた小さなエプロン（小エプロン）とに分割されている構成が知られている。
【０００３】
そして、エプロンを分割し、分割したエプロンの中でカウンタとの隣接面に位置する隣接エプロン（小エプロンに相当するもの）を、スライド自在としてカウンタの陰から引出すようになした構成が知られている（特許文献１参照）。
【０００４】
また、互いに接合可能に分割形成された第１エプロン部材と第２エプロン部材からなり、洗い場床部と、洗い場床部と隣接した位置に設置された浴槽と、の間に形成される開口部を塞ぐバスエプロンについて、第１エプロン部材は、洗い場床部の上方に配置された洗い場カウンタの側端部全体と干渉する位置に取り付けられ、高さ方向長さが開口部の鉛直方向長さよりも小さく形成された構成が知られている（特許文献２参照）。
【先行技術文献】
【特許文献】
【０００５】
【特許文献１】特開２００１−１６９９５９号公報
【特許文献２】特開２０１１−０７２６１５号公報
【発明の概要】
【発明が解決しようとする課題】
【０００６】
従来の大エプロンと、浴槽の一端側であってカウンタの側端に面する側に設けられた小エプロンとに分割されている構成では、次のような問題がある。
【０００７】
即ち、浴槽の一端側においてフランジが広く、カウンタの奥行き幅が狭い場合は、大エプロンを外すだけで浴槽パン内の配管接続や機器のメインテナンス、清掃等が可能である。しかしながら、浴槽のフランジが狭い、またはカウンタの奥行き幅が広い場合、浴槽パン内の作業スペースが狭くなるので、大エプロンに加えて小エプロンの取り外しが必要となる。
【０００８】
また、水密性を得るために、小エプロンとカウンタの角部にコーキング施すことが多いために、小エプロンの取り外す際は、コーキングをカットし除去する作業も必要となり、非常に手間がかかる等の問題がある。
【０００９】
なお、上記特許文献１記載の発明では、小エプロンに相当する隣接エプロンを引き出せるようにしているので、小エプロンとカウンタをコーキングで固定する場合は、引き出しの際にコーキングを除去する必要が生じる。
【００１０】
上記特許文献２記載の発明では、浴槽パン内の配管接続や機器のメインテナンス、清掃等の際に、第２エプロン部材を浴槽から取り外し、さらに第１エプロン部材を取り外す必要があり、第１エプロンとカウンタとの間にコーキングを施す場合は、コーキングを除去しないと第１エプロンを取り外すことができない。よって、エプロンの取り外し作業に手間がかかるものと考えられる。
【００１１】
本発明は上記従来の問題を解決することを目的とし、浴槽パン内の配管接続や機器のメインテナンス、清掃等を行う際に、作業スペースをカウンタに面する第一エプロンを、第一エプロンとカウンタの角部に施されたコーキングを切ることなく、取り外して作業スペースを確保することができ、作業性を向上させることが可能な第一エプロンを備えた浴槽エプロンを実現することを課題とする。
【課題を解決するための手段】
【００１２】
本発明は上記課題を解決するために、第一エプロンと第二エプロンを備えた分割型の浴槽エプロンにおいて、洗い場側の浴室壁には浴槽エプロンに隣接してカウンタが設けられており、第一エプロンはカウンタと接する位置に設けられ、第二エプロンはカウンタと接しない位置に設けられ、第一エプロンは更に分割されて、少なくとも上部が浴槽に嵌合して固定される固定部と、カウンタ設置状態においても固定部から着脱可能な脱着部を備え、固定部は、本体部と、浴室壁と接する側部と、浴室床と接する下部と、を備え、略コの字状に形成されており、脱着部は本体部の下方に設けられて、本体部と脱着部の継ぎ目はカウンタ上面よりも下方に位置していることを特徴とする浴槽エプロンを提供する。
【００１３】
脱着部は第二エプロンを取り外したのち、第二エプロン側にスライドして着脱可能に構成されていることが好ましい。
【００１５】
脱着部に開口が設けられており、該開口が設けられた箇所は、脱着部に接する側のカウンタの端面に内包される位置にあることが好ましい。
【００１６】
固定部の本体部の下端と脱着部の上端に、互いにスライド可能なガイド部が設けられていることが好ましい。
【発明の効果】
【００１７】
本発明に係る浴槽エプロンによれば、カウンタに面する第一エプロンを、カウンタ上面のコーキングを切ることなく、取り外すことができるので、配管等の接続やメインテナンス、清掃等を行う際に、簡単に作業スペースを確保することができ、作業性を著しく向上させることが可能となる。
【図面の簡単な説明】
【００１８】
【図１】本発明の実施例を説明する図であり、（ａ）は本発明の浴槽エプロンを使用した浴槽全体を示す斜視図であり、（ｂ）は本発明の浴槽エプロンの第一エプロンを示す斜視図であり、（ｃ）は第一エプロンを浴槽に取り付ける構成を示す図である。
【図２】上記実施例の浴槽エプロンの第一エプロンを説明する図であり、（ａ）は第一エプロンの固定部から脱着部を取り外した状態を示す斜視図であり、（ｂ）は固定部の側面図であり、（ｃ）は脱着部の側面図である。
【図３】（ａ）は、上記実施例の浴槽エプロンにおける、第一エプロンの固定部、脱着部、第二エプロン、浴槽、およびカウンタ等の相互の位置関係を示す正面図であり、（ｂ）は上記実施例の変形例について、第一エプロンの固定部、脱着部、第二エプロン、浴槽、およびカウンタ等の相互の位置関係を示す正面図あり、（ｃ）は（ｂ）のＣ−Ｃ断面を示す図である。
【図４】上記実施例の浴槽エプロンの第二エプロンを浴槽から取り外した状態を示す斜視図である。
【図５】上記実施例の浴槽エプロンの第二エプロンを浴槽から取り外し、さらに第一エプロンの脱着部を固定部から取り外した状態を示す斜視図である。
【発明を実施するための形態】
【００１９】
本発明に係る浴槽エプロンを実施するための形態を実施例に基づき図面を参照して、以下説明する。以下の説明では、浴槽を洗い場側から正面に見て、手前が前方、奥側を後方、左右を左右方向とする。
【００２０】
（実施例）
全体構成：
本発明に係る浴槽エプロン１の実施例を説明する。図１（ａ）において、浴槽２の前面側（洗い場３側）には、浴槽エプロン１が、着脱可能に設けられている。また、洗い場３側の側方の浴室壁６には、浴槽エプロン１の前面に隣接してカウンタ７が設けられている。本発明に係る浴槽エプロン１は、第一エプロン８（小エプロン）と第二エプロン９（大エプロン）を備えた分割型の浴槽エプロンである。
【００２１】
第一エプロン８は、カウンタ７の後端面１０（図１（ａ）において、カウンタ７を正面視した場合は左側の端面に相当する）と接する位置に設けられている。第二エプロン９は、カウンタ７と接しない位置、即ち、カウンタ７の後端面１０に対して、カウンタ７の取り付けられた浴室壁６の反対側の横方向にずれた位置に設けられている。
【００２２】
第一エプロン：
第一エプロン８は、図１（ｂ）、図２（ａ）に示すように、固定部１２と脱着部１３を備えており、互いに着脱し合体、分解可能である。固定部１２は、後で詳記するが、カウンタ７の後端面１０に接した状態で、浴槽のフランジ１４に取り付けられている。
【００２３】
脱着部１３は、固定部１２に対して横方向（左右方向）にスライドして着脱可能に装着されている。浴槽パン内の配管の接続、機器のメインテナンス、清掃等の作業において、脱着部１３だけ取り外すことで、作業スペースを提供でき、第一エプロン８全体を取り外す必要がない。
【００２４】
なお、本明細書で、浴槽パン内の配管の接続とは、浴槽への湯水の配管の接続、浴槽パン内に設けられている機器への配管の接続、浴槽近くに設けられた供給栓からカウンタに設けられた水栓へ湯水を供給する配管等の接続であり、機器とは、例えば、バブルやジェット噴流を発生するための内蔵ポンプ、洗浄水噴射用のポンプ等を言う。
【００２５】
固定部１２は、図２（ａ）に示すように、本体部１７を有し、少なくとも、固定部１２の本体部１７の上部１８が、図１（ｃ）に示すように、浴槽２の洗い場３側のフランジ１４の前縁下面に沿って形成された断面凹状の垂下部１９に嵌合して固定される。このような本体部１７の上部１８には、垂下部１９に嵌合する断面凸状の凸条面が形成されている。
【００２６】
固定部１２は、少なくとも上記のとおり浴槽２に取り付けられた本体部１７を備えている必要があるが、本実施例の固定部１２は、図２（ａ）、（ｂ）に示すように、本体部１７に加えて、浴室壁６と接する側部２７と、浴室床２４と接する下部２８と、を備えており、全体として正面視で略コの字状に形成されている。
【００２７】
本体部１７と下部２８は、浴室壁６側（図２（ａ）では右側）で垂直に伸びる側部２７で結合されている。本体部１７、側部２７および下部２８で囲まれる部分は、開口２９となっている。この固定部１２の開口２９は、後記するが、脱着部１３が固定部１２から取り外された状態で、配管の接続、機器のメインテナンス、清掃等の作業の際に、アクセスのための開口となり、また作業スペースを提供する。
【００２８】
本体部１７の下端の前面には、脱着部１３を固定部１２に対して脱着する際に、後記する脱着部１３のガイド部４３に対して、互いに横方向にスライド可能なガイド部３３が設けられている。このガイド部３３は、図２（ａ）、（ｂ）に示すように、水平に形成された凹凸条面として構成されている。この凹凸条面は、水平な嵌合溝３４と、水平な嵌合溝３４の下に隣接する水平な突条部３５と、からなる。
【００２９】
固定部１２のガイド部３３の凹凸条面に、後記する脱着部１３のガイド部４３の凸凹条面が摺動可能に嵌合し、脱着部１３は固定部１２に対して横方向にスライド可能となる。本体部１７および下部２８における側部２７と反対側の側面には、平面視で┐型の切り欠き面３８が形成されている（図２（ａ）、（ｂ）参照）。
【００３０】
固定部１２に脱着部１３を装着および取り外しする際に、後記する脱着部１３の下端の後面に形成された切り欠き面４８が、固定部１２の下部２８の上面３９に摺動可能に載置され、脱着部１３は固定部１２に対して横方向にスライド可能となる。
【００３１】
脱着部１３は、図１（ｂ）、図２（ａ）、図３（ａ）に示すように、全体として矩形の板状に形成されている。脱着部１３における、カウンタ７が取り付けられる浴室壁６側の位置には、浴室壁６側から切り欠かかれて開いた開口４０が形成されている。
【００３２】
脱着部１３は、カウンタ７の後端面１０に接するように設けられるが、脱着部１３は、図３（ａ）に示すように、その開口４０が形成されている箇所が、カウンタ７の後端面１０の領域（図３（ａ）の２点鎖線で示される領域）内に内包される位置になるように、カウンタ７との位置関係が決められ、固定部１２に取り付けられる。
【００３３】
脱着部１３の浴室壁６側の端部４１の後面には、開口４０に面する位置から下端まで切り欠き面４２が形成されている。この切り欠き面４２は、脱着部１３が固定部１２に装着されると、固定部１２の側部２７に嵌合する。
【００３４】
脱着部１３の上部の後面には、脱着部１３を固定部１２に対して脱着する際に、固定部１２のガイド部３３に対して互いに横方向にスライド可能なガイド部４３が設けられている。このガイド部４３は、水平に形成された凸凹条面として構成されている。この凸凹条面は、図２（ａ）、（ｃ）に示すように、水平な突条部４４と、水平な突条部４４の下に隣接する水平な嵌合溝４５と、からなる。
【００３５】
脱着部１３のガイド部４３の凸凹条面は、固定部１２のガイド部３３の凹凸条面に対して摺動可能に嵌合し、脱着部１３は、固定部１２に対して横方向にスライド可能となる。
【００３６】
脱着部１３の下端の後面には、側面視┐型の切り欠き面４８が形成されている。また、脱着部１３の左側面は、平面視で┐型の切り欠き面４９が形成されている（図２（ａ）、（ｃ）参照）。
【００３７】
脱着部１３は、固定部１２に着脱可能であるが、脱着部１３を固定部１２に装着するためには、図２（ａ）に示すように、脱着部１３の空間４０側を固定部１２の空間２９側に向き合う状態とし、脱着部１３のガイド部４３の凸条部４４および嵌合溝４５を、それぞれ固定部１２のガイド部３３の嵌合溝３４および凸条部３５に嵌合し、脱着部１３の切り欠き面４８を固定部１２の下部２８の上面３９に合わせて載置する。
【００３８】
その状態で、図２（ａ）に矢印で示すように、脱着部１３を固定部１２に挿入し横方向にスライドしながら、脱着部１３の切り欠き面４２が、固定部の側部２７に嵌合し当接するまで押し込んでいくと、脱着部１３は、図１（ｂ）に示すように、固定部１２に装着された状態となる。
【００３９】
このように装着された状態では、固定部１２の開口２９は、脱着部１３の開口４０と重なる部分を除いて、脱着部１３によって閉じられる。脱着部１３の開口４０は、カウンタ７内を通して浴槽パン（図示しない）に延びるように配設される配管類の通孔として機能する。
【００４０】
図１（ｂ）に示すように、脱着部１３を固定部１２に装着した状態では、固定部１２の本体部１７と脱着部１３の接合部に細い隙間の線５０が生じる。この隙間の線５０は、互いに分割された固定部１２と脱着部１３を合体したことにより両者の間に生じる線であり、本明細書では継ぎ目５０と言う。継ぎ目５０は、カウンタ７の奥行（カウンタ７を正面視した際の奥方向の幅寸法）と略同じ寸法の幅とする。
【００４１】
この継ぎ目５０が、少なくともカウンタ７の上面より下方に位置するような関係に、第一エプロン８の固定部１２とカウンタ７が配置されれば、しかも継ぎ目５０は、カウンタ７の奥行と略同じ寸法の幅であるので、継ぎ目５０がカウンタ７で隠れて露出することがないので、見た目も好ましく意匠性が良い。
【００４２】
また、このような関係で第一エプロン８の固定部１２とカウンタ７が配置されていれば、固定部１２の本体部１７の前面２５とカウンタ７の上面２３がなす角部５３に、図５に示すように、コーキング５４を施すことで水密性が向上し、固定部１２またはカウンタ７上方からの水が、継ぎ目５０から浴槽２側に入り込みにくくなる。
【００４３】
浴室壁６へのカウンタ７の取付高さが、浴槽２の高さ等を考慮して、ある程度決まっている場合は、継ぎ目５０が、少なくともカウンタ７の上面より下方に位置するように、固定部１２の本体部１７の上下幅の寸法は決められる。
【００４４】
通常は、浴槽エプロンの前面は、カウンタ７より上方の部分が入浴者にとって見えやすいので、継ぎ目５０を、上記のとおりカウンタ７の上面２３より下方である構成とすることで、カウンタ７より上方に継ぎ目５０が露出しないような構成とすれば良い。
【００４５】
しかし、継ぎ目５０は、上記のようにカウンタ７の上面２３より下方である構成に加えて、カウンタ７の下面２６より上方に位置する構成とすれば、継ぎ目５０はカウンタ７の下方にも露出せず、固定部１２の前面に沿って流れ落ちる水が継ぎ目５０から浴槽２側に入り込むことも防止できるので、意匠性の向上の観点および水密性の観点から、より完璧となる。
【００４６】
上記のとおり継ぎ目５０は、カウンタ７の上面２３より下方であり、カウンタ７の下面２６より上方に位置する構成とし、上記したとおりの、脱着部１３は、その開口４０が、カウンタ７の後端面１０の領域内に内包されるような、カウンタ７との位置関係となるような構成を考慮すると、結局、固定部１２、脱着部１３およびカウンタ７の関係的な構成は、図３（ａ）に示すようになる。
【００４７】
第二エプロン：
第二エプロン９は、浴槽２の前面側（洗い場３側）であって、カウンタ７の後端面１０に接しない領域に、浴槽２に着脱可能に取り付けられる。第二エプロン９を浴槽２に着脱可能に取り付ける取付構造はすでに知られており、特にその詳細は図示しないが、その概要は次のとおりである。
【００４８】
第二エプロン９の上部には、前記第一エプロンの固定部１２の本体部１７の上部１８の凸条面３２と同様の凸条面が形成されている。また、第二エプロン９の後面（内面）には、少なくとも左右の２本の係合突起が浴槽２の前面に向けて設けられている。一方、浴槽２の前面には、係合突起に対応した位置に、係合突起に弾力的に係合する係合受具が設けられている。
【００４９】
第二エプロン９の上部の凸条面を、浴槽２の洗い場３側のフランジ１４の前縁に沿った垂下部１９に嵌合し、第二エプロン９を後方に押して、係合突起を浴槽２の係合受具内に弾力的に係合することで、第二エプロン９が浴槽２の洗い場３側の前面に着脱可能に取り付けられる。
【００５０】
（作用）                 
以上の構成からなる浴槽エプロン１の作用についてその、設置工程、使用等を通して説明する。まず、第一エプロン８を浴槽２に取り付ける。脱着部１３と固定部１２を分割した状態（図２（ａ）参照）で、まず固定部１２だけを取り付ける。
【００５１】
具体的には、図１（ｂ）に示すように、固定部１２の本体部１７の上部１８に形成された凸条面を、図１（ｃ）に示すように、浴槽２のフランジ１４の垂下部１９に嵌合して、第一エプロン８を、浴槽のフランジ１４と浴室床２４の間に挿入して押し込む。なお、脱着部１３を固定部１２に装着し合体した状態で、浴槽２に取り付けても良い。
【００５２】
次に、カウンタ７を、その後端面１０が固定部１２の前面２５に当接する状態で、浴室壁６に取り付ける。この場合、カウンタ７を、図３（ａ）に示すように、固定部１２と追って装着する脱着部１３との継ぎ目５０がカウンタ７の上面２３より下方に位置し、脱着部１３の開口４０は、カウンタ７の後端面１０の領域に内包される位置になることを考慮して取り付ける。
【００５３】
カウンタ７が浴室壁６に取り付けられた状態で、カウンタ７内の配管類を固定部１２の開口２９を通して、浴槽２近くの給水栓等へ接続する配管作業をしておくとよい。
【００５４】
また、カウンタ７が浴室壁６に取り付けられた状態で、第一エプロン８の前面２５とカウンタ７の上面の角部５３に、図５に示すように、コーキング５４を施すことで、水密性を向上させることが可能となる。
【００５５】
次に、固定部１２に、脱着部１３を装着する。この装着については、第一のエプロンの構成の説明において詳述したとおりであり、脱着部１３のガイド部４３を固定部１２のガイド部３３に側方から嵌合して挿入し、図２（ａ）に矢印で示すように、脱着部１３を固定部１２に対して横方向にスライドさせて、脱着部１３の切り欠き面４２が、固定部の側部２７に嵌合し当接するまで押し込む。
【００５６】
このようにして、脱着部１３は、図１（ｂ）に示すように、固定部１２に装着された状態となる。この際、カウンタ７内から、固定部１２の開口２９を通して浴槽パン側に延ばされて配設された配管は、脱着部１３の開口４０を通すようにする。
【００５７】
次に、第二エプロン９を浴槽２の前面側に取り付ける。具体的には、第二エプロン９の上部の凸条面を浴槽２のフランジ１４の前縁の垂下部１９に嵌合し、また第二エプロン９のカウンタ７側の一端（図１（ａ）では右側端）を、第一エプロン８の固定部１２および脱着部１３の図２（ａ）に示す左側面の切り欠き面３８、４９（図１（ｂ）参照）に外側から覆うように係合して、浴槽のフランジ１４と浴室床２４の間に嵌め込む。
【００５８】
すると、第二エプロン９の後面（内面）に設けられている係合突起が、浴槽の前面に設けられた係合受具に弾力的に嵌合して固定されるとともに、第一エプロン８と第二エプロン９が接続された状態となる。
【００５９】
以上の説明では、第一エプロン８の固定部１２を浴槽２に取り付けた後で、カウンタ７を浴室壁６に取り付けたが、その作業工程は逆でもよい。
【００６０】
また、第一エプロン８を浴槽２に取り付ける場合に、上記のとおり、脱着部１３と固定部１２を分割した状態（図２（ａ）参照）で、まず固定部１２だけを取り付けて、その後、脱着部１３を固定部１２に装着し合体したが、配管作業に支障さえなければ、脱着部１３を固定部１２に装着し合体した状態（図１（ｂ）参照）で、第一エプロン８を浴槽２に取り付けてもよい。
【００６１】
本発明の浴槽エプロン１では、第一エプロン８は、図４に示すように、浴槽２の前面側において、カウンタ７の後端面１０に当接して取り付けられる。この状態では、第一エプロン８の継ぎ目５０は、カウンタ７の上面２３より下方に位置し露出しない、またカウンタ７の横方向へも露出しないので、見栄えを低下させることなく意匠性が良い。
【００６２】
浴槽パン内の配管、メインテナンス、清掃等の作業に際して、第一エプロン８の脱着部１３を固定部１２から取り外す場合には、第二エプロン９を浴槽２の前面から取り外した状態（図４参照）において、脱着部１３を把持して、図４の矢印に示すように、固定部１２から浴室壁６と反対側の横方向にスライドして引き出して取り外せばよい。
【００６３】
すると、図５に示すように、第一エプロン８は固定部１２だけが残り、固定部１２の開口２９が全開状態となる。
【００６４】
このように、第一エプロン８の脱着部１３は、固定部１２から引き抜くことで、簡単に取り外すことができる。また、脱着部１３を固定部１２から取り外す際に、固定部１２の前面２５とカウンタ７上面２４のなす角部５３に形成されたコーキング５４を切って除去する必要がない。
【００６５】
従って、従来の浴槽エプロンに比べると、第一エプロン８全体を浴槽から取り外したり取り付けたりする必要がないので、配管等の接続、メインテナンス、清掃等の作業を行う際に、簡単に浴槽２の近く、下方、浴槽パン等にアクセスするための通路や作業スペースを確保することができるので、作業性が著しく向上する。
【００６６】
そして、第一エプロン８の固定部１２とカウンタ７の角部５３に形成されているコーキング５４が特に除去されていないので、作業後に、再度、第一エプロン８全体を浴槽２に取り付けた状態にする場合は、脱着部１３を固定部１２に側方から挿入して横方向にスライドして押し込み、脱着部１３を固定部１２に装着するだけでよく、再度コーキングのための作業が不要である。
【００６７】
（変形例）
ここで、上記実施例で説明した浴槽エプロン１の変形例を示す。この変形例は、上記実施例と略同じ構成であるが、固定部の構成について、上記実施例と若干異なり、以下、この異なる構成について説明する。
【００６８】
上記実施例で説明したが、第一エプロン８の固定部１２は、浴槽２に取り付けられ、脱着部１３のガイド部４３と互いにスライド可能なガイド部３３が形成され、開口４０を有する本体部１７を備えた構成である。
【００６９】
しかしながら、第一エプロン８の固定部１２は、本体部１７を少なくとも設けていれば、例えば、図３（ｂ）に変形例として示すように、側部２７および下部２８が設けられていない構成でもよい。
【００７０】
但し、この場合の第一エプロン８の固定部１２は、その本体部１７が、浴槽２のフランジ１４に、落下することなく固定して取り付けられる構成とする必要がある。例えば、図３（ｂ）に示すように、本体部１７の後面に係合突起５５を設け、この係合突起５５に対向する浴槽２の前面に係合突起５５と弾力的に係合する係合受具５６を設ける構成とする。
【００７１】
或いは、第一エプロン８の固定部は、浴槽２と一体に形成されている構成であってもよい。例えば、図示はしないが、浴槽２のフランジ１４と一体で、その前縁から、固定部１２の本体部１７に相当する部材を、その下端がカウンタ７の上面２３より下方の位置まで延びるように設ける構成としてもよい。
【００７２】
上記変形例のように、固定部が下部２８を備えていない場合は、脱着部１３の下端は、下部２８に換えて浴室床２４上に当接し、脱着の際には、その上を横方向にスライドする構成とすればよい。この場合、より積極的には、浴室床２４の上に、脱着部１３の下端の切り欠き面４８が摺動可能に嵌合できる、レール片を貼り付けるようにしてもよい。
【００７３】
以上、本発明に係る浴槽エプロンを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００７４】
本発明に係る浴槽エプロンは上記のように浴槽の下方に簡単にアクセスできる開口を形成できる構成であるから、配管等の接続、機器のメインテナンス、浴槽の下方の清掃作業等が容易となり、浴槽パンを供えた浴槽、その他各種の浴槽にも適用可能である。
【符号の説明】
【００７５】
１  浴槽エプロン                               
２  浴槽                                       
３  洗い場                                     
６  浴室壁                                     
７  カウンタ                                   
８  第一エプロン                               
９  第二エプロン                               
１０  カウンタの後端面                         
１２  固定部                                   
１３  脱着部                                   
１４  浴槽のフランジ                           
１７  本体部                                   
１８  固定部の本体部の上部                     
１９  浴槽のフランジの垂下部                   
２２  固定部の本体部の下端                     
２３  カウンタの上面                           
２４  浴室床                                   
２５  固定部の本体部の前面
２６  カウンタの下面                   
２７  固定部の側部                             
２８  固定部の下部                             
２９  固定部の開口
３２  固定部の本体部の上部の凸条面
３３  本体部のガイド部                         
３４  嵌合溝                                   
３５  突条部                                   
３８  固定部の側面の切り欠き面                 
３９  固定部の下部の上面                       
４０  脱着部の開口 
４１  脱着部の浴室壁側の端部
４２  脱着部の浴室壁側の端部の切り欠き面
４３  脱着部の上部のガイド部                   
４４  脱着部のガイド部突条部                   
４５  脱着部のガイド部嵌合溝                   
４８  脱着部の下端の切り欠き面                 
４９  脱着部の側面の切り欠き面                 
５０  継ぎ目                               
５３  固定部とカウンタがなす角部               
５４  コーキング 
５５  係合突起
５６  係合受具                              
【図１】
0006420084.tif 000002
【図２】
0006420084.tif 000003
【図３】
0006420084.tif 000004
【図４】
0006420084.tif 000005
【図５】
0006420084.tif 000006